(57)【要約】【課題】密封性が損なわれたときには、これを外部から信頼性よく検知することができる薬剤容器を提供する。【解決手段】ガスバリア性素材からなる容器本体１の内部に薬剤２を密封状態に収納する薬剤容器にあって、少なくともガスを透過させる封止体３によって容器本体１の口部４を封止すると共に、封止体３の外側をガスバリア性の被覆体５によって剥離可能に密封し、かつ、封止体３と被覆体５との間にガス検知体６を配設し、該ガス検知体６の反応を被覆体５または口部４を透して外部から目視で確認できるようにする。【選択図】  図１
2005349182.tif 000002
【特許請求の範囲】
【請求項１】
ガスバリア性素材からなる容器本体（１）の内部に薬剤（２）を密封状態に収納する薬剤容器であって、
少なくともガスを透過させる封止体（３）によって前記容器本体（１）の口部（４）を封止すると共に、前記封止体（３）の外側をガスバリア性の被覆体（５）によって剥離可能に密封し、かつ、前記封止体（３）と被覆体（５）との間にガス検知体（６）を配設し、該ガス検知体（６）の反応を前記被覆体（５）又は口部（４）を透して外部から目視で確認きるようにしたことを特徴とする薬剤容器。
【請求項２】
前記ガス検知体（６）は、酸素ガス又は炭酸ガスを検知することを特徴とする請求項１に記載の薬剤容器。
【請求項３】
前記被覆体（５）と封止体（３）の間には、酸素吸収剤又は炭酸ガス発生剤（９）が配設されることを特徴とする請求項１又は請求項２に記載の薬剤容器。
【請求項４】
前記封止体（３）は、薬剤（２）の通過を阻止し、かつ、ガスの透過を許容するガス透過性素材からなることを特徴とする請求項１乃至３の何れかに記載の薬剤容器。
【請求項５】
前記封止体（３）は、薬剤（２）の通過を阻止し、かつ、ガスの透過を許容するガス透過手段（７）を備えていることを特徴とする請求項１乃至４の何れかに記載の薬剤容器。
【請求項６】
前記ガス透過手段（７）は、前記封止体（３）に穿設された貫通孔（３１）の両端をガス透過性膜（３２）（３２）によって閉塞することにより形成されることを特徴とする請求項５に記載の薬剤容器。
【請求項７】
前記ガス透過手段（７）は、前記封止体（３）の前記薬剤（２）と対応する側に穿設された凹部（３３）の背面側に形成される薄肉部（３３ａ）であることを特徴とする請求項５に記載の薬剤容器。
【請求項８】
前記封止体（３）のガス透過度が、１０ｃｍ3 ／ｍ2 ・ｄａｙ以上であることを特徴とする請求項１乃至７の何れかに記載の薬剤容器。
【請求項９】
ガスバリア性素材からなる容器本体（１）の内部に薬剤（２）を密封状態に収納する薬剤容器であって、
少なくともガスを透過させる封止体（３）によって前記容器本体（１）の口部（４）を封止すると共に、前記封止体（３）の外側をガスバリア性の被覆体（５）によって剥離可能に密封し、かつ、前記封止体（３）と被覆体（５）の間に酸素吸収剤又は炭酸ガス発生剤（９）を配設したことを特徴とする薬剤容器。
【発明の詳細な説明】
【技術分野】
【０００１】
本発明は、ガスバリア性素材からなる容器本体の口部をガス透過性の封止体によって封止し、その口部の外側をガスバリア性の被覆体によって剥離可能に密封するようにした薬剤容器に関する。
【背景技術】
【０００２】
アミノ酸薬剤やある種の抗生物質等の易酸化性薬剤は、酸素の影響を受けないようにするために、ガラスバイアルやガラスアンプルのような酸素バリア性の容器に収納されて、ヘッドスペースを実質的に酸素を含まない不活性ガスによって置換していた。また、眼灌流液や重炭酸リンゲル液のような重炭酸塩を含む薬剤等は、解離平衡を維持するためにヘッドスペースを炭素ガスで置換して、やはりガラスバイアル等の炭素ガスバリア性容器に収納されていた。
【０００３】
しかし、ガラス製の容器は、重くて破損しやすい上に、ある種の薬剤と反応してガラス成分が溶出するおそれもあるため、近年は、柔軟なプラスチック製のバッグやアンプルにとって代わられつつある。ところが、薬剤を収納できる安全なプラスチック材は、一般にガス透過性であるため、別のガスバリア性素材で形成した外装体の中にガス検知体と共に本体容器を包装するようにして使用されることが多い（例えば、特許文献１参照）。
【０００４】
しかし、このように外装体の中に本体容器を装入する場合、外装工程を別途必要として工程が複雑になり、コスト高になる難点があった。また、特に、栄養療法に使用される薬剤を収納する場合等には、本体容器が大きくなるため、外装体も大きくならざるを得ず、かなりのコスト高になる上に、嵩高くもなるため取り扱いにくくなる。
【０００５】
最近では、薬剤を収納可能な透明でガスバリア性を有する柔軟なプラスチックフィルムが種々開発され、外装体を用いることなく、本体容器のみで薬剤を収納できるようになりつつある。そして、このような密封容器に適用できるガス検知機能付きのフタも提案されている（例えば、特許文献２参照）。これは、密封容器の口部を封止するフタの内部に通気口付きの検知剤収納容器を設けたものである。
【特許文献１】特開平８−１６４１８５号公報
【特許文献２】実公昭５８−２１４３２号公報
【発明の開示】
【発明が解決しようとする課題】
【０００６】
しかし、上記従来例（特許文献２）のように、フタの内部に検知剤収納容器を設けた場合、その検知剤収納容器の底部に、容器本体内部と連通する通気口が形成されているため、密封容器の取り扱い方によっては、検知剤収納容器の内部に収納したガス検知剤が容器本体内の薬剤と接触する可能性があり薬剤の純度が損なわれることが懸念される。
【０００７】
本発明は、このような実情に鑑みてなされ、薬剤を純度を損うことなく収納でき、かつ、密封性が損なわれたときには、これを外部から信頼性よく検知することができる薬剤容器を提供することを目的とする。
【０００８】
ところで、ガスバリア性容器内に薬剤を収納する場合、薬剤の酸化を防止するために、薬剤を充填した後、ヘッドスペース（空間部）を炭酸ガス（又は窒素ガス等の不活性ガス）によって置換するようにしている。しかし、このような置換を行っても酸素濃度を０％にするのは技術的に困難である。例えば、ヘッドスペースを窒素ガスで置換すると１％程度の酸素が残留する。
【０００９】
従って、アミノ酸薬剤やある種の抗生物質等の易酸化性薬剤をガスバリア性容器に収納する場合、このような残留酸素を完全に除去できるようにすることが望ましい。そこで、本発明は、ガスバリア性容器のヘッドスペースを無酸素状態にできるようにした薬剤容器を提供することをも目的とする。
【課題を解決するための手段】
【００１０】
本発明は、上述の課題を解決するための手段を以下のように構成している。
（１）本発明の薬剤容器は、ガスバリア性素材からなる容器本体１の内部に薬剤２を密封状態に収納する薬剤容器であって、
少なくともガスを透過させる封止体３によって前記容器本体１の口部４を封止すると共に、前記封止体３の外側をガスバリア性の被覆体５によって剥離可能に密封し、かつ、前記封止体３と被覆体５との間にガス検知体６を配設し、該ガス検知体６の反応を前記被覆体５又は口部４を透して外部から目視で確認できるようにしている。
【００１１】
このような構成によれば、容器本体１にピンホール等が生じて密封性が損なわれると、ヘッドスペースのガス雰囲気が変化し、そのガスが封止体３を透過してガス検知体６で検知され、そのガス検知体６が反応（変色）し、その反応をガスバリア性の被覆体５又は口部４を透して外部から目視で確認することができる。また、被覆体５が破損した場合等には、直接ガス検知体６で検知されるため、同様に、外部から目視で確認することができる。なお、本発明でいう薬剤２には病人等に供給される流動性食品等も含まれる。
【００１２】
（２）ガス検知体６が酸素ガス又は炭酸ガスを検知するようにしてもよい。内部に収納する薬剤が易酸化性物質、例えば、トリプトファン、システインのような易酸化アミノ酸を含む薬液（例：総合アミノ酸薬剤）、抗生物質（例：セファゾリンナトリウム等）等である場合には、ヘッドスペースの酸素濃度を実質的に０％にし、酸素ガスを検知できるガス検知体を設ければよい。また、内部に収納する薬剤が、二酸化炭素で安定化される物質、例えば、重炭酸塩を含む薬液（例：眼灌流液、透析液、重炭酸リンゲル液）、抗生物質（例：硫酸セフピロム等）、コーヒー等である場合には、空間部を炭酸ガス雰囲気にし、炭酸ガス濃度の変化を検知できるガス検知体を設ければよい。
【００１３】
（３）前記被覆体５と封止体３の間に、酸素吸収剤（脱酸素剤）又は炭酸ガス発生剤９が配設されてもよい。このようにすれば、被覆体５と封止体３の間の空間を無酸素状態とすることができ、被覆体５と封止体３の間に酸素が侵入すれば、直ちにこれをガス検知体によって検知することができる。また、酸素吸収剤又は炭酸ガス発生剤９と容器本体１のヘッドスペースが封止体３を介して連通状態となるため、ヘッドスペースも無酸素状態とされる。従って、ヘッドスペースを炭酸ガス（又は窒素ガス等の不活性ガス）によって置換した場合にも、残留酸素を除去して酸素濃度を０％にすることができ、薬剤２の酸化を効果的に阻止することができる。さらに、口部４に酸素が侵入しても、酸素吸収剤又は炭酸ガス発生剤９で酸素を吸収できる限度内で薬剤２の酸化を防止することができる。そして、酸素吸収剤又は炭酸ガス発生剤９は、封止体３によって薬剤２との接触が阻止されるため、その酸素吸収能が充分に保護され、かつ、薬剤２の純度も保持される。
【００１４】
（４）前記封止体３は、薬剤２の通過を阻止し、かつ、ガスの透過を許容するガス透過性素材からなるものであってもよい。このようにすれば、別途、ガス透過手段を設ける必要がなくなるため、部品点数が少なくなり構成を簡素化することができる。
【００１５】
（５）前記封止体３は、薬剤２の通過を阻止し、かつ、ガスの透過を許容するガス透過手段７を備えていてもよい。このようにすれば、封止体３そのものの素材の選択の自由度が向上する。
【００１６】
（６）前記ガス透過手段７は、前記封止体３に穿設された貫通孔３１の両端をガス透過性膜３２，３２によって閉塞することにより形成されてもよい。このようにすれば、簡易な構成でガス透過手段７を形成することができる。
【００１７】
（７）前記ガス透過手段７は、前記封止体３の前記薬剤２と対応する側に穿設された凹部３３の背面側に形成される薄肉部３３ａであってもよい。このように、封止体３に薄肉部３３ａを形成することで、ガス透過度の低い素材を用いても適切なガス透過性を得ることができるため、より簡易な構成でガス透過手段７を形成することができる。
【００１８】
（８）前記封止体３のガス透過度は、１０ｃｍ3 ／ｍ2 ・ｄａｙ以上であってもよい。
該封止体３のガス透過度が、容器全体のガス透過度より僅かでも高ければ、本発明の効果を得ることができる。例えば、酸素ガス透過度又は炭酸ガス透過度が１０ｃｍ3 ／ｍ2 ・ｄａｙ以上であれば、ガス検知体６によってガス漏れを充分に検知することができ、好ましくは１００ｃｍ3 ／ｍ2 ・ｄａｙ以上のガス透過度を確保できればよい。
【００１９】
（９）本発明の別の薬剤容器は、ガスバリア性素材からなる容器本体１の内部に薬剤２を密封状態に収納する薬剤容器であって、
少なくともガスを透過させる封止体３によって前記容器本体１の口部４を封止すると共に、前記封止体３の外側をガスバリア性の被覆体５によって剥離可能に密封し、かつ、前記封止体３と被覆体５との間に酸素吸収剤（脱酸素剤）又は炭酸ガス発生剤９を配設したことを特徴とする。
【００２０】
このような構成によれば、酸素吸収剤又は炭酸ガス発生剤９と容器本体１のヘッドスペースが封止体３を介して連通状態となるため、ヘッドスペースが無酸素状態とされる。従って、ヘッドスペースを炭酸ガス（又は窒素ガス等の不活性ガス）によって置換した場合にも、残留酸素を除去して酸素濃度を０％にすることができ、薬剤２の酸化を効果的に阻止することができる。さらに、口部４に酸素が侵入しても、酸素吸収剤又は炭酸ガス発生剤９で酸素を吸収できる限度内で薬剤２の酸化を防止することができる。そして、その酸素吸収剤又は炭酸ガス発生剤９は、封止体３によって薬剤２との接触が阻止されるため、その酸素吸収能が充分に保護され、かつ、薬剤２の純度も保持される。
【発明の効果】
【００２１】
本発明に係る薬剤容器は、ガスを透過させる封止体と被覆体の間に配設したガス検知体の反応を被覆体を透して外部から目視で確認できるようにしているので、容器本体にピンホール等が生じて密封性が損なわれると内部のガス雰囲気が変化するため、そのガスが封止体を透過してガス検知体を反応（変色）させ、その反応を被覆体又は口部を透して外部から目視で確認することができる。また、被覆体が破損した場合等には、直接ガス検知体で検知されるため、同様に、これを外部から目視で確認することができる。従って、密封性が損なわれて純度の低下した薬剤を誤って使用するようなトラブルの発生を防止することができる。なお、ガス検知体の変色状態を確認するためには、被覆体又は口部は透明である必要はない。例えば、酸素検知剤が無酸素状態で桃色で酸素の検知によって青色となる場合、被覆体又は口部は白色にしておけば、検知可能である。要するに、被覆体又は口部はガス検知体の変色状態を外部から検知できる素材で構成されればよい。
【００２２】
本発明の別の薬剤容器は、封止体と被覆体との間に酸素吸収剤（脱酸素剤）又は炭酸ガス発生剤を配設するので、容器本体のヘッドスペースを無酸素状態にすることができるため、内部に収納されている薬剤の酸化を効果的に防ぐことができる。また、口部に酸素が侵入しても、酸素吸収剤又は炭酸ガス発生剤で酸素を吸収できる限度内で薬剤の酸化を防止することができる。そして、その酸素吸収剤又は炭酸ガス発生剤は、封止体によって薬剤との接触が阻止されるので、その酸素吸収能が充分に保護され、薬剤の純度も保持される。
【発明を実施するための最良の形態】
【００２３】
以下に、本発明の最良の実施の形態に係る薬剤容器について図面を参照しつつ詳細に説明する。
〔実施の形態１〕
図１は薬剤容器の口部の断面図、図２は薬剤容器の正面図である。これらの図に示すように、この薬剤容器は、ガスバリア性素材からなる容器本体１の内部に薬剤２を収納し、その口部（口部材）４が、少なくともガスの透過を許容する封止体３によって封止されている。そして、その口部４の外側が、ガスバリア性の透視可能な被覆体５で剥離可能に密封され、かつ、その被覆体５と封止体３との間にガス検知体６が配設され、そのガス検知体６の反応を被覆体５を透して外部から目視で確認できるようにしている。なお、口部４を透視可能な素材で形成すれば、ガス検知体６の反応を口部４を透しても確認することができる。また、図示の例では、ガス検知体６は被覆体５の内面に貼り付け乃至は印刷等により付着されているが、これに限らず、ガス検知体６は被覆体５と封止体３の間に配設されればよい。
【００２４】
容器本体１、口部４及び被覆体５の素材は、ガスバリア性（ガス不透過性）のものであれば、特に限定されるものではないが、容器全体のガス透過度が、１．０ｃｍ3 ／ｍ2 ・ｄａｙ以下、好ましくは、０．５ｃｍ3 ／ｍ2 ・ｄａｙ以下とすればよい。また、酸素ガス透過度については、１ｃｍ3 ／ｍ2 ・ｄａｙ以下、好ましくは０．１ｃｍ3 ／ｍ2 ・ｄａｙ以下、さらに好ましくは、０．０５ｃｍ3 ／ｍ2 ・ｄａｙ以下とすればよい。この点については、炭酸ガス透過度についても同様である。なお、容器本体１は、薬液を収納する場合には、安全性が高く、かつ、外部から薬液を透視できるのが好ましい。また、被覆体５（及び口部４）は、内部に配設したガス検知体６の反応を外部から目視できるよう、少なくともその一部を透明又は透視可能にすればよい。
【００２５】
容器本体１及び被覆体５の素材としては、例えば、ポリエステルフィルムやナイロン、ポリオレフィン系等の合成樹脂からなる基材フィルムの上にシリカやアルミナ等を蒸着した透視可能な蒸着フィルム、ポリ塩化ビニリデンフィルム、ポリビニルアルコールフィルム、エチレン酢酸ビニル共重合体けん化フィルム、これらの積層体等を用いることができる。積層体を採用する場合には、ガス透過性又はガス非透過性の別の樹脂素材を含んでもよい。
【００２６】
口部４の素材としては、ポリエチレン（ＰＥ）やポリプロピレン（ＰＰ）等の汎用されているプラスチックを採用しても、ある程度の厚みを持たせることにより、容器全体のガスバリア性を損なわないようにすることができる。勿論、ポリビニルアルコールやエチレン酢酸ビニル共重合体けん化物の層を設けたり、シリカやアルミナ等を蒸着した透視可能な蒸着フィルムやアルミ層を設けてガスバリア性を高めることもできる。
【００２７】
封止体３には、液体の通過を阻止できるガス透過性の素材を用いる。そのガス透過度は、１０ｃｍ3 ／ｍ2 ・ｄａｙ以上、好ましくは１００ｃｍ3 ／ｍ2 ・ｄａｙ以上に設定するのがよい。例えば、酸素ガス透過度又は炭酸ガス透過度も同程度に設定するのが好ましい。本実施の形態では、封止体３にガス透過性の高い素材を用い、例えば、天然ゴム、ブタジエンゴム、熱可塑性エラストマー等を採用することができる。このような封止体３で口部４を封止することによって、薬剤２が収納されている容器本体１の内部と、ガス検知体が配設されている口部４と被覆体５の間の空間部、との間のガスの移動のみが許容され、薬剤２の移動を阻止することができる。
【００２８】
ガス検知体６については、特に限定されることなく、容器本体１に収納される薬剤２またはヘッドスペースを置換したガス雰囲気に応じて適切なものを選択すればよい。薬剤２が重炭酸含有薬液である場合には、例えば、炭酸ガス検知体（インジケータ）や酸素ガス検知体（インジケータ）を用いればよい。炭酸ガス検知体を用いる場合、容器本体１の内部を炭酸ガス雰囲気とし、容器内部から炭酸ガスが漏れると、炭酸ガスの濃度変化によって炭酸ガス検知体が反応して変色し、これを外部から目視で確認することができる。酸素ガス検知体を用いる場合、容器本体１の内部を炭酸ガス雰囲気とし、容器内部に酸素が侵入すると、侵入した酸素ガスと酸素ガス検知体が反応して変色し、これを外部から目視で確認することができる。
【００２９】
また、薬剤２が易酸化性物質である場合、酸素ガス検知体をガス検知体６として用い、容器本体１内のヘッドスペースを、例えば、窒素等の不活性ガスで置換すればよい。このようにすれば、容器内部に酸素が侵入すると、封止体３を透して漏れる酸素ガスによって酸素ガス検知体が反応して変色し、これを外部から目視で確認することができる。
【００３０】
被覆体５は、ガス不透過性のものであればよく、フィルム状であっても硬質状であってもよい。この被覆体５は、口部４の外側を覆うように、剥離可能なシール剤又はねじ止め等の公知の固着手段で剥離可能な密封状態に固着されればよい。
【００３１】
この被覆体５と封止体３の間に配設されるガス検知体６の配置位置については、特に限定されるものではないが、例えば、被覆体５の内面に印刷するか貼り付けるのが好ましい。このようにすれば、開封時に、被覆体５を剥離したときに、ガス検知体６が散逸すこともなく、被覆体５と共に廃棄することができる。なお、被覆体５の内面に印刷されるか又は貼り付けられたガス検知体６の封止体３に対応する側をガス透過性のフィルムで覆えば、ガス検知体６の溶出を防ぐことができ、また、ガス検知体６の汚染を防ぐこともでき、良好な感度を維持することができる。
【００３２】
また、図１に示すように、被覆体５と封止体３の間に、酸素吸収剤（脱酸素剤）（又は炭酸ガス発生剤）９を配設してもよい。このようにすれば、被覆体５と封止体３の間の空間を無酸素状態とすることができ、被覆体５と封止体３の間に酸素が侵入すれば、直ちにこれをガス検知体によって精度よく検知することができる。また、酸素吸収剤（又は炭酸ガス発生剤）９と容器本体１の内部が封止体３を介して連通状態になっているため、容器本体１のヘッドスペースが無酸素状態とされる。従って、ヘッドスペースを炭酸ガス（または窒素ガス等の不活性ガス）によって置換した場合に、たとえ残留酸素が発生してもこれを除去することができるため酸素濃度を０％にすることができ、薬剤２の酸化を効果的に阻止することができる。
【００３３】
また、口部４に酸素が侵入しても、酸素吸収剤（又は炭酸ガス発生剤）９で酸素を吸収できる限度内で、薬剤２の酸化を防止することができる。そして、その酸素吸収剤（又は炭酸ガス発生剤）９は、封止体３によって薬剤２との接触が阻止されるため、その酸素吸収能が充分に保護され薬剤２の純度も保持される。なお、酸素吸収剤としては、例えば、三菱ガス化学株式会社製のエージレス（商品名）、炭酸ガス発生剤としては、例えば、三菱ガス化学株式会社製のエージレスＧ（商品名）、エージレスＧＭ（商品名）や凸版印刷株式会社製の鮮度保存剤Ｃタイプ（商品名）等を挙げることができる。
【００３４】
以上のように構成される薬剤容器では、常時は、封止体３によって、薬剤２とガス検知体６が接触することはなく、薬剤２の純度を安定に保持することができる。そして、容器本体１にピンホール等が生じて密封性が損なわれると、酸素の侵入によりヘッドスペースのガス雰囲気が変化するため、そのガスが封止体３を透過してガス検知体６で検知されることにより、そのガス検知体６が反応（変色）し、その反応を透視可能な被覆体５（又は口部４）を透して外部から確認することができる。また、被覆体５が破損した場合には、直接ガス検知体６で検知されるため、同様に、外部から確認することができる。
【００３５】
従って、使用前に、ガス検知体６が反応（変色）していないことを確認することで、密封性が損なわれてｐＨ値が上昇してしまう等で変質してしまった薬剤２を誤って使用するようなトラブルの発生を未然に防ぐことができる。また、ガス不透過性の外装体で薬剤容器を包む必要がなく、コスト安に提供することができる。
【００３６】
このような薬剤容器の製造方法については、例えば、まず、容器本体１の容器口部１ａに、容器本体１の内層と材質が同一又は同質系統の樹脂材からなる筒状ポート８の下部を熱溶着した後、容器本体１内に薬剤２を充填し、次いで、筒状ポート８の上部に封止体３を挿入した後、加熱した治具を用いて封止体３に対して口部４をプレスして被嵌させ、その口部４の開口４ａを塞ぐように被覆体５を熱溶着等によって口部４の開口端に被着させればよいが、本発明は、薬剤容器の製造方法については何ら限定するものではなく、適宜な方法が採用されればよい。
【００３７】
図３は薬剤容器の異なる例を示し、この場合、口部４を多層被覆体５Ｌで覆い、その多層被覆体５Ｌの外側層をなす透視可能なガスバリア性フィルム層（本発明の被覆体）５の内側にガス検知体を印刷してガス検知体層５１（本発明のガス検知体）を形成し、その内側にガス透過性のフィルム層（シーラント層）５２を形成している。ガスバリア性フィルム層５としては、例えば、外側からアルミナ蒸着ＰＥＴ・ポリアミド・アルミナ蒸着ＰＥＴ等を積層した多層構成としてもよく、また、ガス透過性のフィルム層５２としてはＰＰやＰＥ等を用いることができる（後述する実施例１参照）。なお、封止体３によって薬剤２がガス検知体層５１に接触するのが阻止されるためフィルム層５２は省略してもよい。
【００３８】
図４は薬剤容器の別の例を示し、この場合も、多層被覆体５Ｌの外側層をなす透視可能なガスバリア性フィルム層（本発明の被覆体）５の内側にガス検知体を印刷してガス検知体層５１を形成し、その内側に、ガス透過性のフィルム層５２を介して酸素吸収剤（又は炭酸ガス発生剤）層５３を積層し、さらに、その内側にガス透過性のフィルム層（シーラント層）５２を形成している。なお、ガスバリア性フィルム層５及びガス透過性のフィルム層５２には、図３の例と同様の素材を用いることができる。
【００３９】
このように、多層被覆体５Ｌに、ガス検知体層５１と酸素吸収剤（又は炭酸ガス発生剤）層５３を一体的に積層した構成では、製造工程を簡素化できる利点がある。また、薬剤２の使用時に、その多層被覆体５Ｌを剥がせば、ガス検知体層５１と酸素吸収剤（又は炭酸ガス発生剤）層５３も剥離されてしまうので、その多層被覆体５Ｌのみを廃棄すればよく、その後直ちに、封止体３に針を刺して薬剤２を取り出すことができるため使い勝手が向上する。
【００４０】
上述の酸素吸収剤層５３は、通常の樹脂材に酸素吸収能力のあるインキを塗布して形成してもよい。ベースとしてアルミナ蒸着ＰＥＴを用いる場合、アルミナを蒸着していない面にインキを塗布すればよい。なお、酸素吸収剤（脱酸素剤）をフィルム乃至はシート状に調整する方法については、例えば、特開２０００−８４４０７号公報（段落番号「００１７」等参照）に記載されている。
【００４１】
また、酸素吸収剤（脱酸素剤）を配合したポリオレフィン系樹脂を酸素吸収剤層５３としてもよい。このような構成については、例えば、特開平１１−１２３７９４号公報（段落番号「００１８」〜「００２５」参照）等に記載されている。なお、配合する脱酸素剤は、酸素吸収反応を起こすことができ、かつ、ポリオレフィン中に分散可能なものであればよく、金属鉄を酸素吸収反応の主剤とする鉄系脱酸素剤もの、特に、金属鉄と金属ハロゲン化物とを含有するものが好ましく、さらには、鉄粉に金属ハロゲン化物を付着させたものが、酸素吸収活性が高いので最も好ましいとされている。
【００４２】
以上のように、ガスバリア性素材からなる容器本体１の口部４をガス透過性の封止体３によって封止し、その口部４の外側をガスバリア性の被覆体５等によって剥離可能に密封するようにした薬剤容器では、例えば、図５に示すように、被覆体５と封止体３の間に、酸素吸収剤（又は炭酸ガス発生剤）９のみを配設するようにしてもよい。
【００４３】
また、図６に示すように、多層被覆体５Ｌの内部に酸素吸収剤層（又は炭酸ガス発生剤層）５３を形成してもよい。この場合、例えば、外層５１はＰＥＴ，ナイロンからなり、ガスバリア層（本発明の被覆体）５は、アルミ箔，ＭＸＤ６，ＥＶＯＨ，シリカ蒸着膜等からなり、酸素吸収剤層５３は、ポリオレフィン（ＰＰ又はＰＥ) ＋鉄系酸素吸収剤、シーラント層５４は、ポリオレフィン（ＰＰ又はＰＥ) 等とすればよい。
【００４４】
以上のような構成によれば、酸素吸収剤（又は炭酸ガス発生剤）９又は酸素吸収剤層（又は炭酸ガス発生剤層）５３と容器本体１の内部（ヘッドスペース）が、封止体３を介して連通状態となるので、ヘッドスペースを窒素ガス等で置換した際に残留酸素が発生してもこれを除去することができ、薬剤２の酸化を効果的に防止することができる。また、たとえ口部４に酸素が侵入しても、酸素吸収剤（又は炭酸ガス発生剤）９で吸収される限り、薬剤２の酸化を防止することができる。そして、その酸素吸収剤（又は炭酸ガス発生剤）９又は酸素吸収剤層（又は炭酸ガス発生剤層）５３は、封止体３によって薬剤２との接触が阻止されるため、酸素吸収能が充分に保護され、薬剤２の純度を保持することもできる。なお、図５及び図６の構成では、被覆体５及び口部４は透明でなくてもよい。
【００４５】
〔実施の形態２〕
本実施の形態は図７に示される。封止体３は、例えば、合成ゴム等の弾性部材からなる本体に、薬剤２を収納している容器本体１の内部と、被覆体５と封止体３との間の空間部とを連通させるための微細な貫通孔３１をあけ、その貫通孔３１の両端部をガス透過性膜３２，３２で閉塞することにより、本発明のガス透過手段７を構成している。なお、前実施の形態と同一乃至は同等部材については同一符号を付し、その説明を省略する。
【００４６】
この場合、封止体３は、ガス透過性の低いもの、例えば、ブチルゴム等を用いればよい。また、貫通孔３１の両端部を閉塞するためのガス透過性膜３２には、例えば、ポリオレフィン系樹脂、ポリ塩化ビニル、疎水フィルター等々を用いることができる。なお、封止体３には、通常、薬剤２を取り出すための針を刺しやすいようにするために中央部に凹状部が２，３箇所設けられているが、貫通孔３１は、その位置を避けた周縁部にあけるのが好ましい。また、貫通孔３１の径は、ガスの透過が許容されればよく、０．１ｍｍ〜１ｍｍφ程度で充分である。
【００４７】
このように構成される薬剤容器では、封止体３に形成された貫通孔３１の両端がガス透過性膜３２によって閉塞されているため、薬剤２とガス検知体６が接触することはなく、薬剤２の純度を安定に保持することができる。そして、容器本体１にピンホール等が生じて密封性が損なわれると酸素の侵入又は炭酸ガスの揮発によりｐＨ値が変化する等の薬剤２の変質が生じるため、そのガスがガス透過性膜３２を透過してガス検知体６で検知されることにより、そのガス検知体６が反応（変色）し、その反応を透視可能な被覆体５を透して外部から確認することができる。
【００４８】
〔実施の形態３〕
本実施の形態は図８に示される。この場合も、封止体３は、ガス透過性の低いもの、例えば、ブチルゴム等を用い、その本体に、前実施の形態と同様の貫通孔３１を形成するが、その両端は開放状態とし、筒状ポート８の底部をガス透過性膜１１で閉塞するようにしている。そのガス透過性膜１１には、例えば、ポリオレフィン系樹脂、ポリ塩化ビニル、疎水フィルター等々が用いることができる。なお、図示は省略するが、容器本体１の容器口部１ａの内側をガス透過性膜で閉塞するようにしてもよい。また、前実施の形態と同一乃至は同等部材については同一符号を付し、その説明を省略する。
【００４９】
このように構成される薬剤容器では、封止体３に形成された貫通孔３１の両端が開放されているが、容器本体１の容器口部１ａの内側がガス透過性膜１１で閉塞されているため、薬剤２とガス検知体６が接触することはなく、薬剤２の純度を安定に保持することができる。そして、容器本体１にピンホール等が生じて密封性が損なわれると酸素の侵入又は炭酸ガスの揮発によりｐＨ値が変化する等の薬剤２の変質が生じるため、そのガスがガス透過性膜１１を透過してガス検知体６で検知されることにより、そのガス検知体６が反応（変色）し、その反応を透視可能な被覆体５を透して外部から確認することができる。
【００５０】
〔実施の形態４〕
本実施の形態は図９に示される。この場合、封止体３は、ガス透過性の低いもの、例えば、ブチルゴム等を用いるが、貫通孔は形成せず、その本体に貫通しない穴部（本発明の凹部）３３を形成し、その穴部３３の底部に形成された薄肉部３３ａでガスの透過を許容する本発明のガス透過手段７を構成している。なお、前実施の形態と同一乃至は同等部材については同一符号を付し、その説明を省略する。
【００５１】
このように構成される薬剤容器では、封止体３に形成された穴部３３は貫通していないので、薬剤２とガス検知体６が接触することはなく、薬剤２の純度を安定に保持することができる。そして、容器本体１にピンホール等が生じて密封性が損なわれると酸素の侵入又は炭酸ガスの揮発によりｐＨ値が変化する等の薬剤２の変質が生じるため、そのガスが薄肉部３３ａを透過してガス検知体６で検知されることにより、そのガス検知体６が反応（変色）し、その反応を透視可能な被覆体５を透して外部から確認することができる。なお、穴部３３の深さは、ガスの透過を許容できる薄肉部３３ａを形成できる程度に設定されればよい。
【００５２】
以上の各実施の形態において、ガス検知体６を取り付けるための構成については、図示は省略するが、例えば、比較的硬質な素材で形成された被覆体５の内面に多色成形してもよく、また、比較的硬質な素材で形成された被覆体５に開口を形成して、その開口を、フィルム材でサンドイッチ状にしたガス検知体で閉塞するようにしてもよい。その他、フィルム材への印刷等の適宜な方法、手段で、封止体３と被覆体５との間にガス検知体６が配設されればよい。
【００５３】
以下に、実施例について説明する。
（実施例１）                                                                      薬剤容器を以下のような構成とした（図３参照）。即ち、容器本体１は、アルミナ蒸着ポリエチレンテレフタレート、シリカ蒸着ナイロン、ＰＥ（ポリエチレン）の順で積層した３層からなるラミネートフィルムにより成形してガスバリア性とした。容器本体１の容器口部１ａに熱溶着される筒状ポート７も、ガス不透過性樹脂又はガス不透過性無機質材料を加えて積層体としてガスバリア性とする。そのガス不透過性樹脂としては、エチレン・ビニルアルコール共重合体、ポリビニルアルコール、ポリアミド、ポリエチレンナフタレート等、また、ガス不透過性無機質材料には、アルミ箔、アルミラミネートフィルム等を用いることができる。
【００５４】
また、封止体３には、厚み６．５ｍｍのイソプレンゴムを用いた。被覆体５は、外層からアルミナ蒸着ＰＥＴ・ポリアミド・アルミナ蒸着ＰＥＴ・ガス検知体６・ＰＰとする。ガス検知体６としては、ｍ−クレゾールパープル、水酸化ナトリウム、水、ポリビニルアルコール、イソプロピールアルコールからなる炭酸ガス検知用インキ組成物を印刷した。
【００５５】
以上のような構成で、薬剤容器全体の炭酸ガス透過度を０．３ｃｍ3 ／ｍ2 ・ｄａｙ以下としたガスバリア性の容器本体１内に、０．７％重炭酸水溶液を２５０ｍｌ収納し、ヘッドスペースの約５０ｍｌを５０％の炭酸ガスで置換して密封した。このような二酸化炭素置換をおこなうことにより、重炭酸水溶液の平衡移動による炭酸ガスの飛散を効果的に抑制することができる。この薬剤容器を３日間放置し、ガス検知体６の色を黄色に変化させた。その後、１２０ｃｍの高さからこの薬剤容器を２０回落下させることでクラックを形成し、４０℃７５ＲＨで３日間保存したところ、ガス検知体６の色が黄色から紫色に変色したことを外部から目視することができ炭酸ガス濃度の低下を確認することができた。
【００５６】
（実施例２）
薬剤容器は、容器本体１をアルミナ片面蒸着ＰＥＴ・アルミナ両面蒸着ＰＥＴ・ＰＥの順で積層した３層からなるラミネートフィルムで成型した以外は実施例１と同様の素材とし、容器全体の酸素ガス透過度を０．３ｃｍ3 ／ｍ2 ・ｄａｙ以下とした（図３参照）。但し、被覆体５の内面には、ガス検知体６として、前実施例の炭酸ガス検知用インキに代えて酸素インジケータ（三菱ガス化学株式会社製エージレスアイ，商品名）を貼り付けた。封止体３には貫通孔３１を設け、その両端にポリエチレンフィルム（ガス透過性膜３２）を貼り付けた。なお、封止体３と被覆体５の間に、酸素吸収剤として三菱ガス化学株式会社製のエージレス（商品名）を入れた。
【００５７】
その容器本体１内に、アミノ酸薬剤（アミパレン（商品名）：株式会社大塚製薬工場製）を２５０ｍｌ収納し、ヘッドスペースの約５０ｍｌを窒素で置換して密封した。この薬剤容器を３日間放置し、酸素インジケータの色を桃色に変化させた。その後、１２０ｃｍの高さから該容器を２０回落下させることでクラックを形成し、４０℃７５ＲＨで２４時間保存したところ、ガス検知体６の色が桃色から紫色に変色したことを外部から目視することができ、酸素の侵入を確認することができた。
【００５８】
（実施例３）
薬剤容器は実施例１と同様の素材とし、容器全体の酸素ガス透過度を０．３ｃｍ3 ／ｍ2 ・ｄａｙ以下とした（図５参照）。但し、被覆体５の内面には、ガス検知体６として炭酸ガスインジケータを貼り付けた。封止体３には、貫通しない穴部３２を形成し、その穴部３３の底部に形成された薄肉部３３ａでガスの透過を許容するようにした。尚、封止体３の厚みを６．５ｍｍとし、穴部３２の内径は０．５ｍｍφ、深さ６．０ｍｍとした。従って、薄肉部３３ａは、０．５ｍｍ厚程度となる。
【００５９】
その容器本体１内に７％の重炭酸水溶液を２５０ｍｌ収納し、ヘッドスペースの約５０ｍｌを二酸化炭素で置換して密封した。この薬剤容器を３日間放置し、炭酸ガスインジケータの色を黄色に変化させた。その後、１２０ｃｍの高さから該容器を２０回落下させることでクラックを形成し、４０℃７５ＲＨで２日間保存したところ、ガス検知体６の色が黄色から紫色に変色したことを外部から目視し、酸素の侵入を確認することができた。
【００６０】
（実施例４）
被覆体を４層構造として（図６参照）、外層５１はＰＥＴ、ガスバリア層５はＥＶＯＨ、酸素吸収剤層５２はＰＥ＋鉄系酸素吸収剤、シーラント層５３はＰＰとし、酸素吸収能力は０．５ｍＬ／ｃｍ2 であった。このような多層被覆体５Ｌを適用した薬剤容器における酸素吸収有効面積は１．１３ｃｍ2 であった（半径０．６ｃｍの円形状）。
【００６１】
例えば、容器本体１に薬剤２を充填した状態でのヘッドスペースが２０ｍＬである場合、ヘッドスペースを窒素ガスで置換すると１％の酸素、即ち、０．２ｍＬの酸素がヘッドスペースに残る。上述の酸素吸収剤層５２は０．５６５ｍＬ（０．５ｍＬ×１．１３）の酸素を吸収できる能力があり、ヘッドスペースに残留した酸素は酸素吸収剤層５２によって完全に除去できることを確認することができた。
【００６２】
尚、本発明は、実施の形態及び実施例の構成に限定されることなく、発明の要旨を逸脱しない限りにおいて、設計変更や改良等は自由であり、各実施の形態間での組み合わせも自由である。例えば、筒状ポート８に対する口部４の取り付け構造等は、図示以外にも、容器本体の大きさや収納する薬剤の種類等々に応じて適切に設定されてよい。また、図６に示す酸素吸収剤層（又は炭酸ガス発生剤層）５３に、段落番号「００４０」「００４１」に記載の酸素吸収剤層（又は炭酸ガス発生剤層）５３を適用してもよい。さらに、多層被覆体５Ｌの内部に酸素吸収剤層（又は炭酸ガス発生剤層）５３を形成する場合の層構成については、適宜自由に選択されてよく、ガス検知体層５１を設けない場合には、例えば、酸素吸収剤層（又は炭酸ガス発生剤層）５３の外層に着色隠蔽層を設けてもよい。
【図面の簡単な説明】
【００６３】
【図１】本発明の実施の形態１に係る薬剤容器の要部断面図である。
【図２】同薬剤容器の正面図である。
【図３】同異なる薬剤容器の要部断面図である。
【図４】同別の薬剤容器の要部断面図である。
【図５】同さらに別の薬剤容器の要部断面図である。
【図６】同他の薬剤容器の要部断面図である。
【図７】本発明の実施の形態２に係る薬剤容器の要部断面図である。
【図８】本発明の実施の形態３に係る薬剤容器の要部断面図である。
【図９】本発明の実施の形態４に係る薬剤容器の要部断面図である。
【符号の説明】
【００６４】
１…容器本体、２…薬剤、３…封止体、４…口部、５…被覆体、６，５１…ガス検知体、７…ガス透過手段、９，５３…酸素吸収剤又は炭酸ガス発生剤、３１…貫通孔、３２…ガス透過性膜、３３…凹部、３３ａ…薄肉部
【図１】
2005349182.tif 000003
【図２】
2005349182.tif 000004
【図３】
2005349182.tif 000005
【図４】
2005349182.tif 000006
【図５】
2005349182.tif 000007
【図６】
2005349182.tif 000008
【図７】
2005349182.tif 000009
【図８】
2005349182.tif 000010
【図９】
2005349182.tif 000011